(57)【要約】【課題】ウェブ状基材に付けられる各見当マークの色が異なるにもかかわらず、ウェブ状基材の幅方向における見当ずれの発生の有無を精度良く判断することができる多色刷り印刷機および多色刷り印刷方法を提供する。【解決手段】ウェブ状基材３０に付けられる複数の見当マーク１０、１２のうち一方の見当マーク１０の第１の見当マーク部分１０ａの前縁が一方の見当マーク検出器２１により検出されてから第２の見当マーク部分１０ｂの前縁が一方の見当マーク検出器２１により検出されるまでの時間が、他方の見当マーク１２の第１の見当マーク部分１２ａの前縁が他方の見当マーク検出器２２により検出されてから第２の見当マーク部分１２ｂの前縁が他方の見当マーク検出器２２により検出されるまでの時間と異なるときに、ウェブ状基材３０の幅方向において見当ずれが発生したと判断する。【選択図】図４
2009190274.tif 000002
【特許請求の範囲】
【請求項１】
連続的に送られるウェブ状基材に対して印刷を行うとともに見当マークをこのウェブ状基材に付ける、複数の直列に設けられた印刷ユニットと、
前記各印刷ユニットによりウェブ状基材に付けられた各々の見当マークを検出する見当マーク検出手段であって、前記各印刷ユニットによりウェブ状基材に付けられる各々の見当マークの間の距離と略同一の距離である所定間隔を空けて設置された２つの見当マーク検出器を有するような見当マーク検出手段と、
前記見当マーク検出手段による検出結果に基づいて、ウェブ状基材の幅方向において見当ずれが発生しているか否かを判断する判断手段と、
を備え、
前記各印刷ユニットによりウェブ状基材に付けられる各々の見当マークは、ウェブ状基材の幅方向と略平行になっている前縁を含む第１の見当マーク部分と、この第１の見当マーク部分よりもウェブ状基材の送り方向における後方に設けられウェブ状基材の幅方向に対して傾斜している前縁を含む第２の見当マーク部分とを有し、
前記判断手段は、ウェブ状基材に付けられる複数の見当マークのうち一方の見当マークの第１の見当マーク部分の前縁が一方の見当マーク検出器により検出されてから第２の見当マーク部分の前縁が一方の見当マーク検出器により検出されるまでの時間が、他方の見当マークの第１の見当マーク部分の前縁が他方の見当マーク検出器により検出されてから第２の見当マーク部分の前縁が他方の見当マーク検出器により検出されるまでの時間と異なるときに、ウェブ状基材の幅方向において見当ずれが発生したと判断することを特徴とする多色刷り印刷機。
【請求項２】
連続的に送られるウェブ状基材に対して印刷を行うとともに見当マークをこのウェブ状基材に付ける、複数の直列に設けられた印刷ユニットと、
前記各印刷ユニットによりウェブ状基材に付けられた各々の見当マークを検出する見当マーク検出手段であって、前記各印刷ユニットによりウェブ状基材に付けられる各々の見当マークの間の距離と略同一の距離である所定間隔を空けて設置された２つの見当マーク検出器を有するような見当マーク検出手段と、
前記見当マーク検出手段による検出結果に基づいて、ウェブ状基材の幅方向において見当ずれが発生しているか否かを判断する判断手段と、
を備え、
前記各印刷ユニットによりウェブ状基材に付けられる各々の見当マークは、ウェブ状基材の幅方向と略平行になっている前縁を含む第１の見当マーク部分と、この第１の見当マーク部分よりもウェブ状基材の送り方向における前方に設けられウェブ状基材の幅方向に対して傾斜している前縁を含む第２の見当マーク部分とを有し、
前記判断手段は、ウェブ状基材に付けられる複数の見当マークのうち一方の見当マークの第２の見当マーク部分の前縁が一方の見当マーク検出器により検出されてから第１の見当マーク部分の前縁が一方の見当マーク検出器により検出されるまでの時間が、他方の見当マークの第２の見当マーク部分の前縁が他方の見当マーク検出器により検出されてから第１の見当マーク部分の前縁が他方の見当マーク検出器により検出されるまでの時間と異なるときに、ウェブ状基材の幅方向において見当ずれが発生したと判断することを特徴とする多色刷り印刷機。
【請求項３】
前記判断手段は、ウェブ状基材に付けられる複数の見当マークのうち一方の見当マークの第１の見当マーク部分の前縁が一方の見当マーク検出器により検出されたときの時刻が、他方の見当マークの第１の見当マーク部分の前縁が他方の見当マーク検出器により検出されたときの時刻と異なるときに、ウェブ状基材の送り方向において見当ずれが発生したと判断することを特徴とする請求項１または２記載の多色刷り印刷機。
【請求項４】
前記見当マーク検出手段の各見当マーク検出器は光学式センサであることを特徴とする請求項１乃至３のいずれか一項に記載の多色刷り印刷機。
【請求項５】
前記各印刷ユニットによりウェブ状基材に付けられる各々の見当マークにおける第１の見当マーク部分および第２の見当マーク部分は互いに離間していることを特徴とする請求項１乃至４のいずれか一項に記載の多色刷り印刷機。
【請求項６】
前記各印刷ユニットによりウェブ状基材に付けられる各々の見当マークにおける第１の見当マーク部分はウェブ状基材の幅方向と略平行である辺を有する略長方形形状となっており、各々の見当マークにおける第２の見当マーク部分はウェブ状基材の幅方向に対して傾斜する辺を有する略平行四辺形形状となっていることを特徴とする請求項１乃至５のいずれか一項に記載の多色刷り印刷機。
【請求項７】
複数の直列に設けられた印刷ユニットにより、連続的に送られるウェブ状基材に対してそれぞれ印刷を行うとともに見当マークをこのウェブ状基材にそれぞれ付ける印刷工程と、
ウェブ状基材に付けられる各々の見当マーク間の距離と略同一の距離である所定間隔を空けて設置された２つの見当マーク検出器により、ウェブ状基材に付けられた各々の見当マークを検出する見当マーク検出工程と、
見当マーク検出工程による検出結果に基づいて、ウェブ状基材の幅方向において見当ずれが発生しているか否かを判断する判断工程と、
を備え、
印刷工程においてウェブ状基材に付けられる各々の見当マークは、ウェブ状基材の幅方向と略平行になっている前縁を含む第１の見当マーク部分と、この第１の見当マーク部分よりもウェブ状基材の送り方向における後方に設けられウェブ状基材の幅方向に対して傾斜している前縁を含む第２の見当マーク部分とを有し、
判断工程において、ウェブ状基材に付けられる複数の見当マークのうち一方の見当マークの第１の見当マーク部分の前縁が一方の見当マーク検出器により検出されてから第２の見当マーク部分の前縁が一方の見当マーク検出器により検出されるまでの時間が、他方の見当マークの第１の見当マーク部分の前縁が他方の見当マーク検出器により検出されてから第２の見当マーク部分の前縁が他方の見当マーク検出器により検出されるまでの時間と異なるときに、ウェブ状基材の幅方向において見当ずれが発生したと判断されることを特徴とする多色刷り印刷方法。
【請求項８】
複数の直列に設けられた印刷ユニットにより、連続的に送られるウェブ状基材に対してそれぞれ印刷を行うとともに見当マークをこのウェブ状基材にそれぞれ付ける印刷工程と、
ウェブ状基材に付けられる各々の見当マーク間の距離と略同一の距離である所定間隔を空けて設置された２つの見当マーク検出器により、ウェブ状基材に付けられた各々の見当マークを検出する見当マーク検出工程と、
見当マーク検出工程による検出結果に基づいて、ウェブ状基材の幅方向において見当ずれが発生しているか否かを判断する判断工程と、
を備え、
印刷工程においてウェブ状基材に付けられる各々の見当マークは、ウェブ状基材の幅方向と略平行になっている前縁を含む第１の見当マーク部分と、この第１の見当マーク部分よりもウェブ状基材の送り方向における前方に設けられウェブ状基材の幅方向に対して傾斜している前縁を含む第２の見当マーク部分とを有し、
判断工程において、ウェブ状基材に付けられる複数の見当マークのうち一方の見当マークの第２の見当マーク部分の前縁が一方の見当マーク検出器により検出されてから第１の見当マーク部分の前縁が一方の見当マーク検出器により検出されるまでの時間が、他方の見当マークの第２の見当マーク部分の前縁が他方の見当マーク検出器により検出されてから第１の見当マーク部分の前縁が他方の見当マーク検出器により検出されるまでの時間と異なるときに、ウェブ状基材の幅方向において見当ずれが発生したと判断されることを特徴とする多色刷り印刷方法。
【請求項９】
判断工程において、ウェブ状基材に付けられる複数の見当マークのうち一方の見当マークの第１の見当マーク部分の前縁が一方の見当マーク検出器により検出されたときの時刻が、他方の見当マークの第１の見当マーク部分の前縁が他方の見当マーク検出器により検出されたときの時刻と異なるときに、ウェブ状基材の送り方向において見当ずれが発生したと判断されることを特徴とする請求項７または８記載の多色刷り印刷方法。
【請求項１０】
前記各見当マーク検出器は光学式センサであることを特徴とする請求項７乃至９のいずれか一項に記載の多色刷り印刷方法。
【請求項１１】
前記各印刷ユニットによりウェブ状基材に付けられる各々の見当マークにおける第１の見当マーク部分および第２の見当マーク部分は互いに離間していることを特徴とする請求項７乃至１０のいずれか一項に記載の多色刷り印刷方法。
【請求項１２】
前記各印刷ユニットによりウェブ状基材に付けられる各々の見当マークにおける第１の見当マーク部分はウェブ状基材の幅方向と略平行である辺を有する略長方形形状となっており、各々の見当マークにおける第２の見当マーク部分はウェブ状基材の幅方向に対して傾斜する辺を有する略平行四辺形形状となっていることを特徴とする請求項７乃至１１のいずれか一項に記載の多色刷り印刷方法。
【発明の詳細な説明】
【技術分野】
【０００１】
本発明は、グラビア印刷等の多色印刷を行う多色刷り印刷機および多色刷り印刷方法に関し、とりわけ、ウェブ状基材に付けられる各見当マークの色が異なるにもかかわらず、ウェブ状基材の幅方向における見当ずれの発生の有無を精度良く判断することができる多色刷り印刷機および多色刷り印刷方法に関する。
【背景技術】
【０００２】
従来より、フィルム、紙等のウェブ状基材に対して複数の印刷ユニットにより多色の印刷を行うような多色刷り印刷機が知られている。このような多色刷り印刷機においては、ウェブ状基材が各印刷ユニット間で搬送される間に、当該ウェブ状基材の送り方向、または幅方向において見当ずれが生じる場合がある。このため、各印刷ユニットによりウェブ状基材に対してそれぞれ印刷を行う際に、このウェブ状基材に見当マークを付け、ウェブ状基材において一の印刷ユニットにより付けられた見当マークの位置と他の印刷ユニットにより付けられた見当マークの位置とを比較することにより、ウェブ状基材の送り方向における見当ずれおよび幅方向における見当ずれをそれぞれ検出するようになっている。このような多色刷り印刷機としては、例えば特許文献１に開示されるものが知られている。
【０００３】
例えば特許文献１に開示されるような、従来の多色刷り印刷機について図１および図５乃至図７を用いて説明する。ここで、図１は、２つの印刷ユニットを有する一般的な多色刷り印刷機（２色機）の構成を示す構成図であり、図５は、従来の多色刷り印刷機の各印刷ユニットによりウェブ状基材に付けられた各々の見当マークを示す図である。また、図６は、図５に示す各見当マークがそれぞれ見当マーク検出装置の各光学式センサにより検出されるときの状態を示す図であり、図７は、図６に示す各光学式センサによる見当マークの検出信号を示すグラフである。
【０００４】
まず、２つの印刷ユニットを有する一般的な多色刷り印刷機（２色機）の構成について図１を用いて説明する。
【０００５】
図１に示す多色刷り印刷機においては、第１の印刷ユニット４１で１色目の絵柄と見当マークが、第２の印刷ユニット４２で２色目の絵柄と見当マークが、ウェブ状基材３０にそれぞれ印刷されるようになっている。また、多色刷り印刷機には、１色目と２色目の見当ずれを修正する手段として、第１の印刷ユニット４１と第２の印刷ユニット４２との間に設けられたコンペンセータロール４３ａの位置を移動させることで印刷ユニット４１、４２間のパス長を変化させ、ウェブ状基材３０の送り方向における見当ずれ（縦見当ずれ）を修正するコンペンセータロール機構４３が設けられている。さらに、多色刷り印刷機には、第２の印刷ユニット４２における２色目の版胴４４ａを軸方向に移動させ、ウェブ状基材３０の幅方向における見当ずれ（横見当ずれ）を修正するサイドレー機構４４が設けられている。
【０００６】
また、多色刷り印刷機における第２の印刷ユニット４２よりも下流側に見当マーク検出装置２０が設置されており、この見当マーク検出装置２０は、ウェブ状基材３０に印刷された各色の見当マークを検出するようになっている。また、多色刷り印刷機には、見当マーク検出装置２０に通信接続される見当コントローラ５０が設けられており、この見当コントローラ５０は、見当マーク検出装置２０による各色の見当マークの検出結果に基づいて、ウェブ状基材３０に縦見当ずれや横見当ずれが生じているか否かを検出するようになっている。ここで、ウェブ状基材３０に縦見当ずれや横見当ずれが生じている場合には、これらの縦見当ずれや横見当ずれを修正するよう、見当コントローラ５０はコンペンセータロール機構４３やサイドレー機構４４に動作信号を送るようになっている。
【０００７】
次に、従来の多色刷り印刷機の各印刷ユニットによりウェブ状基材に付けられる各色の見当マークについて図５乃至図７を用いて説明する。
【０００８】
図５に示すように、第１の印刷ユニット４１により、ウェブ状基材３０に例えば墨色の台形形状からなる第１の見当マーク６０が付けられる。また、ウェブ状基材３０における、第１の見当マーク６０よりもウェブ状基材３０の送り方向における後方の位置（図５における下方の位置）に、第２の印刷ユニット４２により例えば藍色の台形形状からなる第２の見当マーク６２が付けられる。なお、図５における矢印は、ウェブ状基材３０の送り方向を示し、図５における左右方向はウェブ状基材３０の幅方向となっている。
【０００９】
ここで、第１の見当マーク６０および第２の見当マーク６２は、縦見当ずれがない場合、見当マーク６０、６２の送り方向の間隔は後述する距離Ｌ（第１の見当マーク６０と第２の見当マーク６２との間の距離）となり、横見当ずれがない場合、ウェブ状基材３０の幅方向における位置が略同一となっている。また、これらの見当マーク６０、６２は形状が略同一となっている。より具体的には、各見当マーク６０、６２の前縁（ウェブ状基材３０の流れ方向における最も前方の辺）はウェブ状基材３０の幅方向と略平行となっており、各見当マーク６０、６２の後縁（ウェブ状基材３０の流れ方向における最も後方の辺）はウェブ状基材３０の幅方向に対して傾斜するようになっている。
【００１０】
図６に示すように、ウェブ状基材３０に付けられた各見当マーク６０、６２は、見当マーク検出装置２０により検出されるようになっている。より具体的には、見当マーク検出装置２０は、第１の見当マーク６０と第２の見当マーク６２との間の距離Ｌ（図５参照）と同一の距離である所定間隔を空けて設置された２つの光学式センサ（フォトセンサ）２１、２２を有している。そして、縦見当ずれがない場合、第１の光学式センサ２１が第１の見当マーク６０を検出するタイミングと、第２の光学式センサ２２が第２の見当マーク６２を検出するタイミングが略同一となっている。なお、第１の光学式センサ２１および第２の光学式センサ２２は、それぞれ図５の二点鎖線に示す検出位置上に設けられており、各見当マーク６０、６２における図５に示す検出位置の部分をそれぞれ検出するようになっている。
【００１１】
図７は、図６に示すような各光学式センサ２１、２２による第１の見当マーク６０および第２の見当マーク６２の検出信号をそれぞれ示すグラフである。ここで、図７に示すようなグラフにおいて、横軸は時間を示しており、縦軸は各光学式センサ２１、２２による出力電圧を示している。
【００１２】
具体的に説明すると、各光学式センサ２１、２２の検出領域を、ウェブ状基材３０に印刷された見当マーク６０、６２がそれぞれ通過すると、見当マーク６０、６２とウェブ状基材３０とにおける光の反射率が相違するために、光学式センサ２１、２２が受光する光量が変化する。各光学式センサ２１、２２は、この光量の変化に相当する出力電圧を出力する。このような出力電圧を経時的に測定すると、図７に示すような波形の検出信号となる。
【００１３】
第１の光学式センサ２１による第１の見当マーク６０の検出信号を示すグラフについて説明すると、図７における時刻Ｔｃ１は、第１の光学式センサ２１により第１の見当マーク６０の前縁が検出されたときの時刻を示し、時刻Ｔｃ２は、第１の光学式センサ２１により第１の見当マーク６０の後縁が検出されたときの時刻を示す。すなわち、図７における時刻Ｔｃ１と時刻Ｔｃ２との間の時間Ｔｃｐにおいて、第１の光学式センサ２１の検出領域を、ウェブ状基材３０に印刷された第１の見当マーク６０が通過している。
【００１４】
第２の光学式センサ２２による第２の見当マーク６２の検出信号を示すグラフについて説明すると、図７における時刻Ｔｄ１は、第２の光学式センサ２２により第２の見当マーク６２の前縁が検出されたときの時刻を示し、時刻Ｔｄ２は、第２の光学式センサ２２により第２の見当マーク６２の後縁が検出されたときの時刻を示す。すなわち、図７における時刻Ｔｄ１と時刻Ｔｄ２との間の時間Ｔｄｐにおいて、第２の光学式センサ２２の検出領域を、ウェブ状基材３０に印刷された第２の見当マーク６２が通過している。
【００１５】
ここで、見当コントローラ５０において、第１の光学式センサ２１により第１の見当マーク６０の前縁が検出されたときの時刻Ｔｃ１と、第２の光学式センサ２２により第２の見当マーク６２の前縁が検出されたときの時刻Ｔｄ１とが略同一であるときには、ウェブ状基材３０に縦見当ずれは生じていないと判断される。一方、第１の光学式センサ２１により第１の見当マーク６０の前縁が検出されたときの時刻Ｔｃ１と、第２の光学式センサ２２により第２の見当マーク６２の前縁が検出されたときの時刻Ｔｄ１とが異なるときには、この差分にウェブ状基材３０の送り速度を掛け算した大きさ分だけ、ウェブ状基材３０に縦見当ずれが生じていると判断される。
【００１６】
一方、各見当マーク６０、６２の後縁はウェブ状基材３０の幅方向に対して傾斜しているため、ウェブ状基材３０に横見当ずれが生じていた場合には、図５に示すような検出位置における、各光学式センサ２１、２２の検出領域を各見当マーク６０、６２が通過する時間が異なることとなる。このため、見当コントローラ５０において、第１の光学式センサ２１に関する時刻Ｔｃ１と時刻Ｔｃ２との差の時間Ｔｃｐと、第２の光学式センサ２２に関する時刻Ｔｄ１と時刻Ｔｄ２との差の時間Ｔｄｐとが略同一であるときには、ウェブ状基材３０に横見当ずれは生じていないと判断される。一方、時刻Ｔｃ１と時刻Ｔｃ２との差の時間Ｔｃｐと、時刻Ｔｄ１と時刻Ｔｄ２との差の時間Ｔｄｐとが異なるときには、この差分にウェブ状基材３０の送り方向速度を掛け算した大きさに比例するような大きさ分だけ、ウェブ状基材３０に横見当ずれが生じていると判断される。具体的には、時間Ｔｃｐと時間Ｔｄｐとの差分にウェブ状基材３０の送り方向速度を掛け算した大きさに基づいて、各見当マーク６０、６２の前縁と後縁とのなす角度（図５に示す例では例えば３０°）を考慮することにより、横見当ずれを算出することができる。
【００１７】
【特許文献１】特開２００６−１３０７６５号公報
【発明の開示】
【発明が解決しようとする課題】
【００１８】
前述のように、各光学式センサ２１、２２の検出領域を、ウェブ状基材３０に印刷された見当マーク６０、６２がそれぞれ通過すると、見当マーク６０、６２とウェブ状基材３０とにおける光の反射率が相違するために、光学式センサ２１、２２が受光する光量が変化し、各光学式センサ２１、２２は、この光量の変化に相当する出力電圧を出力するようになっている。しかしながら、見当マーク６０、６２による光の反射率は、当該見当マーク６０、６２の色によって相違する。このため、各光学式センサ２１、２２の検出信号について、図７に示すようなグラフにおける波高値および波幅値は見当マーク６０、６２の色によって相違することとなる。
【００１９】
各光学式センサ２１、２２の検出信号に係るグラフの波高値については、波高値を観測しながら増幅器のゲイン調節用の半固定抵抗器等を手動で調整する方法や、上述の特許文献１で示されているような見当マークの検出パルスを用いる方法により、所定値に一致させることができる。しかしながら、各光学式センサ２１、２２の検出信号に係るグラフの波幅値については、この波幅値を所定値に一致させる方法は知られていない。このため、ウェブ状基材３０の横見当ずれを検出するにあたり、見当マーク６０、６２の色の違いによる波幅値の差異により、このようなウェブ状基材３０の横見当ずれの検出に誤差が生じるおそれがある。
【００２０】
具体的に説明すると、各光学式センサ２１、２２の検出信号に係るグラフの波幅値の相違は、波形のグラフのたち下がり部分（時刻Ｔｃ２や時刻Ｔｄ２の近傍の部分）が異なることに起因する。すなわち、同じ形状の見当マーク６０、６２であっても、例えば第１の見当マーク６０の色が墨色であり第２の見当マーク６２の色が藍色であることにより、たとえウェブ状基材３０に横見当ずれが生じていない場合であっても、時刻Ｔｄ１と時刻Ｔｄ２との間の時間Ｔｄｐが、時刻Ｔｃ１と時刻Ｔｃ２との間の時間Ｔｃｐと異なるようになってしまう場合がある。このため、上述のような横見当ずれの検出方法においては、実際にはウェブ状基材３０に横見当ずれがない場合であっても、各見当マーク６０、６２の色の相違により、各光学式センサ２１、２２の検出信号に係るグラフのたち下がり部分が異なるようになってしまうため、横見当ずれが生じたと判断されてしまうおそれがある。
【００２１】
本発明は、このような点を考慮してなされたものであり、ウェブ状基材に付けられる各見当マークの色が異なるにもかかわらず、ウェブ状基材の幅方向における見当ずれの発生の有無を精度良く判断することができる多色刷り印刷機および多色刷り印刷方法を提供することを目的とする。
【課題を解決するための手段】
【００２２】
本発明の多色刷り印刷機は、連続的に送られるウェブ状基材に対して印刷を行うとともに見当マークをこのウェブ状基材に付ける、複数の直列に設けられた印刷ユニットと、前記各印刷ユニットによりウェブ状基材に付けられた各々の見当マークを検出する見当マーク検出手段であって、前記各印刷ユニットによりウェブ状基材に付けられる各々の見当マークの間の距離と略同一の距離である所定間隔を空けて設置された２つの見当マーク検出器を有するような見当マーク検出手段と、前記見当マーク検出手段による検出結果に基づいて、ウェブ状基材の幅方向において見当ずれが発生しているか否かを判断する判断手段と、を備え、前記各印刷ユニットによりウェブ状基材に付けられる各々の見当マークは、ウェブ状基材の幅方向と略平行になっている前縁を含む第１の見当マーク部分と、この第１の見当マーク部分よりもウェブ状基材の送り方向における後方に設けられウェブ状基材の幅方向に対して傾斜している前縁を含む第２の見当マーク部分とを有し、前記判断手段は、ウェブ状基材に付けられる複数の見当マークのうち一方の見当マークの第１の見当マーク部分の前縁が一方の見当マーク検出器により検出されてから第２の見当マーク部分の前縁が一方の見当マーク検出器により検出されるまでの時間が、他方の見当マークの第１の見当マーク部分の前縁が他方の見当マーク検出器により検出されてから第２の見当マーク部分の前縁が他方の見当マーク検出器により検出されるまでの時間と異なるときに、ウェブ状基材の幅方向において見当ずれが発生したと判断することを特徴とする。
【００２３】
本発明の多色刷り印刷方法は、複数の直列に設けられた印刷ユニットにより、連続的に送られるウェブ状基材に対してそれぞれ印刷を行うとともに見当マークをこのウェブ状基材にそれぞれ付ける印刷工程と、ウェブ状基材に付けられる各々の見当マーク間の距離と略同一の距離である所定間隔を空けて設置された２つの見当マーク検出器により、ウェブ状基材に付けられた各々の見当マークを検出する見当マーク検出工程と、見当マーク検出工程による検出結果に基づいて、ウェブ状基材の幅方向において見当ずれが発生しているか否かを判断する判断工程と、を備え、印刷工程においてウェブ状基材に付けられる各々の見当マークは、ウェブ状基材の幅方向と略平行になっている前縁を含む第１の見当マーク部分と、この第１の見当マーク部分よりもウェブ状基材の送り方向における後方に設けられウェブ状基材の幅方向に対して傾斜している前縁を含む第２の見当マーク部分とを有し、判断工程において、ウェブ状基材に付けられる複数の見当マークのうち一方の見当マークの第１の見当マーク部分の前縁が一方の見当マーク検出器により検出されてから第２の見当マーク部分の前縁が一方の見当マーク検出器により検出されるまでの時間が、他方の見当マークの第１の見当マーク部分の前縁が他方の見当マーク検出器により検出されてから第２の見当マーク部分の前縁が他方の見当マーク検出器により検出されるまでの時間と異なるときに、ウェブ状基材の幅方向において見当ずれが発生したと判断されることを特徴とする。
【００２４】
本発明の多色刷り印刷機および多色刷り印刷方法によれば、ウェブ状基材の幅方向における見当ずれを検出するにあたり、一方の見当マーク検出器により一方の見当マークの第１の見当マーク部分の前縁が検出されてからこの一方の見当マーク検出器により一方の見当マークの第２の見当マーク部分の前縁が検出されるまでの時間と、他方の見当マーク検出器により他方の見当マークの第１の見当マーク部分の前縁が検出されてからこの他方の見当マーク検出器により他方の見当マークの第２の見当マーク部分の前縁が検出されるまでの時間とが異なるときに、ウェブ状基材に横見当ずれが生じていると判断するようになっている。このように、ウェブ状基材の幅方向における見当ずれを検出するにあたり、見当マーク検出器により見当マークの各見当マーク部分の前縁が検出される時刻のみを用いており、見当マーク検出器により見当マークの各見当マーク部分の後縁が検出される時刻を用いていない。このため、第１の見当マークおよび第２の見当マークの色が相違することにより、各見当マーク検出器の検出信号に係る経時的なグラフにおける波幅値が相違するようになった場合であっても、すなわち、波形のグラフのたち下がり部分が異なるようになった場合であっても、このことが、ウェブ状基材の幅方向における見当ずれの検出に影響を与えることはない。このことにより、ウェブ状基材に付けられる各見当マークの色が異なるにもかかわらず、ウェブ状基材の幅方向における見当ずれの発生の有無を精度良く判断することができる。
【００２５】
本発明の他の多色刷り印刷機は、連続的に送られるウェブ状基材に対して印刷を行うとともに見当マークをこのウェブ状基材に付ける、複数の直列に設けられた印刷ユニットと、前記各印刷ユニットによりウェブ状基材に付けられた各々の見当マークを検出する見当マーク検出手段であって、前記各印刷ユニットによりウェブ状基材に付けられる各々の見当マークの間の距離と略同一の距離である所定間隔を空けて設置された２つの見当マーク検出器を有するような見当マーク検出手段と、前記見当マーク検出手段による検出結果に基づいて、ウェブ状基材の幅方向において見当ずれが発生しているか否かを判断する判断手段と、を備え、前記各印刷ユニットによりウェブ状基材に付けられる各々の見当マークは、ウェブ状基材の幅方向と略平行になっている前縁を含む第１の見当マーク部分と、この第１の見当マーク部分よりもウェブ状基材の送り方向における前方に設けられウェブ状基材の幅方向に対して傾斜している前縁を含む第２の見当マーク部分とを有し、前記判断手段は、ウェブ状基材に付けられる複数の見当マークのうち一方の見当マークの第２の見当マーク部分の前縁が一方の見当マーク検出器により検出されてから第１の見当マーク部分の前縁が一方の見当マーク検出器により検出されるまでの時間が、他方の見当マークの第２の見当マーク部分の前縁が他方の見当マーク検出器により検出されてから第１の見当マーク部分の前縁が他方の見当マーク検出器により検出されるまでの時間と異なるときに、ウェブ状基材の幅方向において見当ずれが発生したと判断することを特徴とする。
【００２６】
また、本発明の他の多色刷り印刷方法は、複数の直列に設けられた印刷ユニットにより、連続的に送られるウェブ状基材に対してそれぞれ印刷を行うとともに見当マークをこのウェブ状基材にそれぞれ付ける印刷工程と、ウェブ状基材に付けられる各々の見当マーク間の距離と略同一の距離である所定間隔を空けて設置された２つの見当マーク検出器により、ウェブ状基材に付けられた各々の見当マークを検出する見当マーク検出工程と、見当マーク検出工程による検出結果に基づいて、ウェブ状基材の幅方向において見当ずれが発生しているか否かを判断する判断工程と、を備え、印刷工程においてウェブ状基材に付けられる各々の見当マークは、ウェブ状基材の幅方向と略平行になっている前縁を含む第１の見当マーク部分と、この第１の見当マーク部分よりもウェブ状基材の送り方向における前方に設けられウェブ状基材の幅方向に対して傾斜している前縁を含む第２の見当マーク部分とを有し、判断工程において、ウェブ状基材に付けられる複数の見当マークのうち一方の見当マークの第２の見当マーク部分の前縁が一方の見当マーク検出器により検出されてから第１の見当マーク部分の前縁が一方の見当マーク検出器により検出されるまでの時間が、他方の見当マークの第２の見当マーク部分の前縁が他方の見当マーク検出器により検出されてから第１の見当マーク部分の前縁が他方の見当マーク検出器により検出されるまでの時間と異なるときに、ウェブ状基材の幅方向において見当ずれが発生したと判断されることを特徴とする。
【００２７】
このような多色刷り印刷機および多色刷り印刷方法においても、ウェブ状基材の幅方向における見当ずれを検出するにあたり、見当マーク検出器により見当マークの各見当マーク部分の前縁が検出される時刻のみを用いており、見当マーク検出器により見当マークの各見当マーク部分の後縁が検出される時刻を用いていない。このため、第１の見当マークおよび第２の見当マークの色が相違することにより、各見当マーク検出器の検出信号に係る経時的なグラフにおける波幅値が相違するようになった場合であっても、すなわち、波形のグラフのたち下がり部分が異なるようになった場合であっても、このことが、ウェブ状基材の幅方向における見当ずれの検出に影響を与えることはない。このことにより、ウェブ状基材に付けられる各見当マークの色が異なるにもかかわらず、ウェブ状基材の幅方向における見当ずれの発生の有無を精度良く判断することができる。
【００２８】
上述のような多色刷り印刷機および多色刷り印刷方法においては、ウェブ状基材に付けられる複数の見当マークのうち一方の見当マークの第１の見当マーク部分の前縁が一方の見当マーク検出器により検出されたときの時刻が、他方の見当マークの第１の見当マーク部分の前縁が他方の見当マーク検出器により検出されたときの時刻と異なるときに、ウェブ状基材の送り方向において見当ずれが発生したと判断されることが好ましい。
【００２９】
また、前記見当マーク検出手段の各見当マーク検出器は光学式センサであってもよい。
【００３０】
また、前記各印刷ユニットによりウェブ状基材に付けられる各々の見当マークにおける第１の見当マーク部分および第２の見当マーク部分は互いに離間していることが好ましい。
【００３１】
また、前記各印刷ユニットによりウェブ状基材に付けられる各々の見当マークにおける第１の見当マーク部分はウェブ状基材の幅方向と略平行である辺を有する略長方形形状となっており、各々の見当マークにおける第２の見当マーク部分はウェブ状基材の幅方向に対して傾斜する辺を有する略平行四辺形形状となっていることが好ましい。
【発明の効果】
【００３２】
本発明の多色刷り印刷機および多色刷り印刷方法によれば、ウェブ状基材に付けられる各見当マークの色が異なるにもかかわらず、ウェブ状基材の幅方向における見当ずれの発生の有無を精度良く判断することができる。
【発明を実施するための最良の形態】
【００３３】
以下、図面を参照して本発明の一の実施の形態について説明する。図１乃至図４は、本実施の形態による多色刷り印刷機の構成を示す図である。なお、図１は、前述のように、２つの印刷ユニットを有する一般的な多色刷り印刷機（２色機）の構成を示す構成図であり、図２は、本発明の一の実施の形態における多色刷り印刷機の各印刷ユニットによりウェブ状基材に付けられた各々の見当マークを示す図である。また、図３は、図２に示す各見当マークがそれぞれ見当マーク検出装置の各光学式センサにより検出されるときの状態を示す図であり、図４は、図３に示す各光学式センサによる見当マークの検出信号を示すグラフである。
【００３４】
本実施の形態においては、図１に示すような、２つの印刷ユニットを有する多色刷り印刷機（２色機）が用いられる。このような多色刷り印刷機の具体的な構成は、各印刷ユニットによりウェブ状基材に付けられる見当マークの形状を除いては、上述した通りのものであり、ここではその説明を省略する。
【００３５】
次に、本実施の形態の多色刷り印刷機の各印刷ユニットによりウェブ状基材に付けられる各色の見当マークについて図２乃至図４を用いて説明する。
【００３６】
図２に示すように、第１の印刷ユニット４１により、ウェブ状基材３０に例えば墨色の第１の見当マーク１０が付けられる。この第１の見当マーク１０は、ウェブ状基材３０の幅方向（図２の左右方向）と略平行になっている前縁を含む第１の見当マーク部分１０ａと、この見当マーク部分１０ａよりもウェブ状基材３０の送り方向（図２の矢印参照）における後方（図２における下方の位置）に設けられウェブ状基材３０の幅方向に対して傾斜している前縁を含む第２の見当マーク部分１０ｂとを有している。ここで、各見当マーク部分１０ａ、１０ｂにおける前縁とは、ウェブ状基材３０の流れ方向における最も前方の辺のことをいう。
【００３７】
より具体的には、第１の見当マーク１０における第１の見当マーク部分１０ａは、ウェブ状基材３０の幅方向と略平行である辺を有する略長方形形状となっており、第２の見当マーク部分１０ｂは、ウェブ状基材３０の幅方向に対して傾斜する辺を有する略平行四辺形形状となっている。そして、図２に示すように、第１の見当マーク１０の各見当マーク部分１０ａ、１０ｂは互いに離間している。
【００３８】
また、図２に示すように、ウェブ状基材３０における、第１の見当マーク１０よりもウェブ状基材３０の送り方向における後方の位置に、第２の印刷ユニット４２により第２の見当マーク１２が付けられる。この第２の見当マーク１２は、第１の見当マーク１０と略同一の形状となっている。すなわち、第２の見当マーク１２は、ウェブ状基材３０の幅方向（図２の左右方向）と略平行になっている前縁を含む第１の見当マーク部分１２ａと、この見当マーク部分１２ａよりもウェブ状基材３０の送り方向（図２の矢印参照）における後方に設けられウェブ状基材３０の幅方向に対して傾斜している前縁を含む第２の見当マーク部分１２ｂとを有している。
【００３９】
より具体的には、第２の見当マーク１２における第１の見当マーク部分１２ａは、ウェブ状基材３０の幅方向と略平行である辺を有する略長方形形状となっており、第２の見当マーク部分１２ｂは、ウェブ状基材３０の幅方向に対して傾斜する辺を有する略平行四辺形形状となっている。そして、図２に示すように、第２の見当マーク１２の各見当マーク部分１２ａ、１２ｂは互いに離間している。
【００４０】
図２に示すように、第１の見当マーク１０および第２の見当マーク１２は、前述のように略同一の形状を有するとともに、縦見当ずれがない場合、見当マーク１０、１２の送り方向の間隔はＬとなっており、横見当ずれがない場合、ウェブ状基材３０の幅方向における見当マーク１０、１２の位置が略同一となっている。
【００４１】
図３に示すように、ウェブ状基材３０に付けられた各見当マーク１０、１２は、見当マーク検出装置２０により検出されるようになっている。より具体的には、見当マーク検出装置２０は、第１の見当マーク１０と第２の見当マーク１２との間の距離Ｌ（図２参照）と同一の距離である所定間隔を空けて設置された２つの光学式センサ（フォトセンサ）２１、２２を有している。そして、縦見当ずれがない場合、第１の光学式センサ２１が第１の見当マーク１０を検出するタイミングと、第２の光学式センサ２２が第２の見当マーク１２を検出するタイミングが略同一となっている。なお、第１の光学式センサ２１および第２の光学式センサ２２は、それぞれ図２の二点鎖線に示す検出位置上に設けられており、各見当マーク１０、１２における図２に示す検出位置の部分をそれぞれ検出するようになっている。
【００４２】
図４は、図３に示すような各光学式センサ２１、２２による第１の見当マーク１０および第２の見当マーク１２の検出信号をそれぞれ示すグラフである。ここで、図４に示すようなグラフにおいて、横軸は時間を示しており、縦軸は各光学式センサ２１、２２による出力電圧を示している。
【００４３】
具体的に説明すると、各光学式センサ２１、２２の検出領域を、ウェブ状基材３０に印刷された見当マーク１０、１２がそれぞれ通過すると、見当マーク１０、１２とウェブ状基材３０とにおける光の反射率が相違するために、光学式センサ２１、２２が受光する光量が変化する。各光学式センサ２１、２２は、この光量の変化に相当する出力電圧を出力する。このような出力電圧を経時的に測定すると、図４に示すような波形の検出信号となる。
【００４４】
第１の光学式センサ２１による第１の見当マーク１０の検出信号を示すグラフについて説明すると、図４における時刻Ｔａ１は、第１の光学式センサ２１により第１の見当マーク１０の第１の見当マーク部分１０ａの前縁が検出されたときの時刻を示し、時刻Ｔａ２は、第１の光学式センサ２１により第１の見当マーク１０の第１の見当マーク部分１０ａの後縁が検出されたときの時刻を示す。すなわち、図４における時刻Ｔａ１と時刻Ｔａ２との間の時間において、第１の光学式センサ２１の検出領域を、ウェブ状基材３０に印刷された第１の見当マーク１０の第１の見当マーク部分１０ａが通過している。同様に、図４における時刻Ｔａ３は、第１の光学式センサ２１により第１の見当マーク１０の第２の見当マーク部分１０ｂの前縁が検出されたときの時刻を示し、時刻Ｔａ４は、第１の光学式センサ２１により第１の見当マーク１０の第２の見当マーク部分１０ｂの後縁が検出されたときの時刻を示す。すなわち、図４における時刻Ｔａ３と時刻Ｔａ４との間の時間において、第１の光学式センサ２１の検出領域を、ウェブ状基材３０に印刷された第１の見当マーク１０の第２の見当マーク部分１０ｂが通過している。
【００４５】
第２の光学式センサ２２による第２の見当マーク１２の検出信号を示すグラフについて説明すると、図４における時刻Ｔｂ１は、第２の光学式センサ２２により第２の見当マーク１２の第１の見当マーク部分１２ａの前縁が検出されたときの時刻を示し、時刻Ｔｂ２は、第２の光学式センサ２２により第２の見当マーク１２の第１の見当マーク部分１２ａの後縁が検出されたときの時刻を示す。すなわち、図４における時刻Ｔｂ１と時刻Ｔｂ２との間の時間において、第２の光学式センサ２２の検出領域を、ウェブ状基材３０に印刷された第２の見当マーク１２の第１の見当マーク部分１２ａが通過している。同様に、図４における時刻Ｔｂ３は、第２の光学式センサ２２により第２の見当マーク１２の第２の見当マーク部分１２ｂの前縁が検出されたときの時刻を示し、時刻Ｔｂ４は、第２の光学式センサ２２により第２の見当マーク１２の第２の見当マーク部分１２ｂの後縁が検出されたときの時刻を示す。すなわち、図４における時刻Ｔｂ３と時刻Ｔｂ４との間の時間において、第２の光学式センサ２２の検出領域を、ウェブ状基材３０に印刷された第２の見当マーク１２の第２の見当マーク部分１２ｂが通過している。
【００４６】
ここで、見当コントローラ５０において、第１の光学式センサ２１により第１の見当マーク１０の第１の見当マーク部分１０ａの前縁が検出されたときの時刻Ｔａ１と、第２の光学式センサ２２により第２の見当マーク１２の第１の見当マーク部分１２ａの前縁が検出されたときの時刻Ｔｂ１とが略同一であるときには、ウェブ状基材３０に縦見当ずれは生じていないと判断される。一方、第１の光学式センサ２１により第１の見当マーク１０の第１の見当マーク部分１０ａの前縁が検出されたときの時刻Ｔａ１と、第２の光学式センサ２２により第２の見当マーク１２の第１の見当マーク部分１２ａの前縁が検出されたときの時刻Ｔｂ１とが異なるときには、この差分にウェブ状基材３０の送り速度を掛け算した大きさ分だけ、ウェブ状基材３０に縦見当ずれが生じていると判断される。
【００４７】
また、見当コントローラ５０において、第１の光学式センサ２１により第１の見当マーク１０の第１の見当マーク部分１０ａの前縁が検出されてからこの第１の光学式センサ２１により第１の見当マーク１０の第２の見当マーク部分１０ｂの前縁が検出されるまでの時間Ｔａｐと、第２の光学式センサ２２により第２の見当マーク１２の第１の見当マーク部分１２ａの前縁が検出されてからこの第２の光学式センサ２２により第２の見当マーク１２の第２の見当マーク部分１２ｂの前縁が検出されるまでの時間Ｔｂｐとが略同一であるときには、ウェブ状基材３０に横見当ずれは生じていないと判断される。一方、第１の光学式センサ２１により第１の見当マーク１０の第１の見当マーク部分１０ａの前縁が検出されてからこの第１の光学式センサ２１により第１の見当マーク１０の第２の見当マーク部分１０ｂの前縁が検出されるまでの時間Ｔａｐと、第２の光学式センサ２２により第２の見当マーク１２の第１の見当マーク部分１２ａの前縁が検出されてからこの第２の光学式センサ２２により第２の見当マーク１２の第２の見当マーク部分１２ｂの前縁が検出されるまでの時間Ｔｂｐとが異なるときには、この差分にウェブ状基材３０の送り方向速度を掛け算した大きさに比例するような大きさ分だけ、ウェブ状基材３０に横見当ずれが生じていると判断される。具体的には、時間Ｔａｐと時間Ｔｂｐとの差分にウェブ状基材３０の送り方向速度を掛け算した大きさに基づいて、第１の見当マーク部分１０ａ、１２ａの前縁と第２の見当マーク部分１０ｂ、１２ｂの前縁とのなす角度（図２に示す例では例えば３０°）を考慮することにより、横見当ずれを算出することができる。
【００４８】
なぜならば、図２に示すように、各見当マーク１０、１２の第２の見当マーク部分１０ｂ、１２ｂの前縁はウェブ状基材３０の幅方向に対して傾斜しているため、ウェブ状基材３０に横見当ずれが生じていた場合には、図２に示すような検出位置における、各光学式センサ２１、２２により各見当マーク１０、１２の第２の見当マーク部分１０ｂ、１２ｂの前縁が検出される時刻Ｔａ３、Ｔｂ３が、ウェブ状基材３０に横見当ずれが生じていない場合と異なるようになるからである。
【００４９】
見当コントローラ５０において、ウェブ状基材３０に縦見当ずれが生じていることが検出された場合には、この見当コントローラ５０は、コンペンセータロール機構４３に動作信号を送る。このことにより、コンペンセータロール機構４３はコンペンセータロール４３ａの位置を移動させることで、印刷ユニット４１、４２間のパス長を変化させ、縦見当ずれを修正する。一方、見当コントローラ５０において、ウェブ状基材３０に横見当ずれが生じていることが検出された場合には、この見当コントローラ５０は、サイドレー機構４４に動作信号を送る。このことにより、サイドレー機構４４は２色目の印刷ユニット４２の版胴４４ａを軸方向に移動させることで、横見当ずれを修正する。
【００５０】
以上のように本実施の形態の多色刷り印刷機および多色刷り印刷方法によれば、ウェブ状基材３０の幅方向における見当ずれを検出するにあたり、第１の光学式センサ２１により第１の見当マーク１０の第１の見当マーク部分１０ａの前縁が検出されてからこの第１の光学式センサ２１により第１の見当マーク１０の第２の見当マーク部分１０ｂの前縁が検出されるまでの時間Ｔａｐと、第２の光学式センサ２２により第２の見当マーク１２の第１の見当マーク部分１２ａの前縁が検出されてからこの第２の光学式センサ２２により第２の見当マーク１２の第２の見当マーク部分１２ｂの前縁が検出されるまでの時間Ｔｂｐとが異なるときに、ウェブ状基材３０に横見当ずれが生じていると判断するようになっている。このように、ウェブ状基材３０の幅方向における見当ずれを検出するにあたり、光学式センサにより見当マークの各見当マーク部分の前縁が検出される時刻のみを用いており、光学式センサにより見当マークの各見当マーク部分の後縁が検出される時刻を用いていない。このため、第１の見当マーク１０および第２の見当マーク１２の色が相違することにより、各光学式センサ２１、２２の検出信号について、図４に示すようなグラフにおける波幅値が相違するようになった場合であっても、すなわち、図４に示すような波形のグラフのたち下がり部分（時刻Ｔａ２や時刻Ｔｂ２の近傍の部分）が異なるようになった場合であっても、このことが、ウェブ状基材３０の幅方向における見当ずれの検出に影響を与えることはない。このことにより、ウェブ状基材３０に付けられる各見当マーク１０、１２の色が異なるにもかかわらず、ウェブ状基材３０の幅方向における見当ずれの発生の有無を精度良く判断することができる。
【００５１】
なお、本発明による多色刷り印刷機および多色刷り印刷方法は、上記の態様に限定されるものではなく、様々の変更を加えることができる。
【００５２】
例えば、各印刷ユニット４１、４２によりウェブ状基材３０に付けられた各見当マーク１０、１２の各々の見当マーク部分１０ａ、１０ｂ、１２ａ、１２ｂを検出する見当マーク検出器としては、上述のような光学式センサ２１、２２に限定されることはなく、他の種類のセンサやセンサ以外の器具等を用いることもできる。
【００５３】
また、図２に示される各見当マーク１０、１２の形状は単なる例示に過ぎず、ウェブ状基材３０の幅方向と略平行になっている前縁を含む第１の見当マーク部分と、この第１の見当マーク部分よりもウェブ状基材の送り方向における前方または後方に設けられウェブ状基材３０の幅方向に対して傾斜している前縁を含む第２の見当マーク部分とを有するものであれば、様々な形状の見当マークを用いることができる。すなわち、第１の見当マーク部分１０ａ、１２ａは、略長方形形状のものに限定されることはなく、その前縁がウェブ状基材３０の幅方向と略平行になっているものであれば、他の形状のものを使用することができる。同様に、第２の見当マーク部分１０ｂ、１２ｂは、略平行四辺形形状のものに限定されることはなく、その前縁がウェブ状基材３０の幅方向に対して傾斜しているものであれば、他の形状のものを使用することができる。
【００５４】
また、各印刷ユニット４１、４２によりウェブ状基材３０に付けられる各々の見当マーク１０、１２における第１の見当マーク部分１０ａ、１２ａおよび第２の見当マーク部分１０ｂ、１２ｂは、互いに離間しているものに限定されることはなく、各見当マーク部分が一部分において互いに隣接するようになっていてもよい。
【００５５】
ここで、各見当マークにおいて、第１の見当マーク部分よりもウェブ状基材３０の送り方向における前方に第２の見当マーク部分が設けられている場合には、ウェブ状基材３０の幅方向における見当ずれを検出するにあたり、第１の光学式センサ２１により第１の見当マークの第２の見当マーク部分の前縁が検出されてからこの第１の光学式センサ２１により第１の見当マークの第１の見当マーク部分の前縁が検出されるまでの時間と、第２の光学式センサ２２により第２の見当マークの第２の見当マーク部分の前縁が検出されてからこの第２の光学式センサ２２により第２の見当マークの第１の見当マーク部分の前縁が検出されるまでの時間とが異なるときに、ウェブ状基材３０に横見当ずれが生じていると判断するようになっている。
【００５６】
この場合でも、ウェブ状基材３０の幅方向における見当ずれを検出するにあたり、光学式センサにより見当マークの各見当マーク部分の前縁が検出される時刻のみを用いており、光学式センサにより見当マークの各見当マーク部分の後縁が検出される時刻を用いていない。このため、第１の見当マーク１０および第２の見当マーク１２の色が相違することにより、各光学式センサ２１、２２の検出信号について波幅値が相違するようになった場合であっても、このことが、ウェブ状基材３０の幅方向における見当ずれの検出に影響を与えることはない。このことにより、ウェブ状基材３０に付けられる各見当マーク１０、１２の色が異なるにもかかわらず、ウェブ状基材３０の幅方向における見当ずれの発生の有無を精度良く判断することができる。
【図面の簡単な説明】
【００５７】
【図１】２つの印刷ユニットを有する一般的な多色刷り印刷機（２色機）の構成を示す構成図である。
【図２】本発明の一の実施の形態における多色刷り印刷機の各印刷ユニットによりウェブ状基材に付けられた各々の見当マークを示す図である。
【図３】図２に示す各見当マークがそれぞれ見当マーク検出装置の各光学式センサにより検出されるときの状態を示す図である。
【図４】図３に示す各光学式センサによる見当マークの検出信号を示すグラフである。
【図５】従来の多色刷り印刷機の各印刷ユニットによりウェブ状基材に付けられた各々の見当マークを示す図である。
【図６】図５に示す各見当マークがそれぞれ見当マーク検出装置の各光学式センサにより検出されるときの状態を示す図である。
【図７】図６に示す各光学式センサによる見当マークの検出信号を示すグラフである。
【符号の説明】
【００５８】
１０  第１の見当マーク
１０ａ  第１の見当マーク部分
１０ｂ  第２の見当マーク部分
１２  第２の見当マーク
１２ａ  第１の見当マーク部分
１２ｂ  第２の見当マーク部分
２０  見当マーク検出装置
２１  第１の光学式センサ
２２  第２の光学式センサ
３０  ウェブ状基材
４１  第１の印刷ユニット
４２  第２の印刷ユニット
４３  コンペンセータロール機構
４３ａ  コンペンセータロール
４４  サイドレー機構
４４ａ  版胴
５０  見当コントローラ
６０  第１の見当マーク
６２  第２の見当マーク
【図１】
2009190274.tif 000003
【図２】
2009190274.tif 000004
【図３】
2009190274.tif 000005
【図４】
2009190274.tif 000006
【図５】
2009190274.tif 000007
【図６】
2009190274.tif 000008
【図７】
2009190274.tif 000009